(57)【特許請求の範囲】
【請求項１】
通水路を止水状態又は通水状態に切り替え、外気を前記通水路内に吸入する吸気弁付き止水栓であって、
水栓装置の上流側に形成される通水路内に螺合されるねじ部と、一端部が前記ねじ部の一部と一体的に形成されて他端部が長手方向軸線の軸線回りの回転操作可能な操作部となる回転軸部と、この回転軸部から半径方向外側に突出し前記ねじ部及び前記回転軸部の回転に応じて前記通水路の流入口に対して軸方向に相対的に移動して前記流入口を開閉する止水弁体部と、を備えた止水栓部材と、
前記止水弁体部に対して移動可能に取り付けられ、前記止水弁体部より上流側の前記通水路内に外気を吸入可能な吸気弁と、
を有し、
前記吸気弁を外部から強制的に開弁させる、手動開弁手段を有し、
前記手動開弁手段は、指で操作可能な押圧部を備え、
前記押圧部は、前記吸気弁の先端に設けられ、押圧されると、前記吸気弁を開弁させることを特徴とする吸気弁付き止水栓。
【請求項２】
前記吸気弁は、前記通水路内の水圧により閉弁側に移動され、前記通水路内が負圧になると開弁側に移動されることを特徴とする請求項１に記載の吸気弁付き止水栓。
【請求項３】
前記吸気弁を開弁側に付勢する吸気ばねを有することを特徴とする請求項２に記載の吸気弁付き止水栓。
【請求項４】
請求項１乃至３の何れか１項に記載の吸気弁付き止水栓を備えたことを特徴とする水栓装置。
【発明の詳細な説明】
【技術分野】
【０００１】
本発明は止水栓及び止水栓を備えた水栓装置に関する。
【背景技術】
【０００２】
水栓装置が寒冷地に設置された場合、冬季の夜間など、水栓本体内や水道管内の水が凍結してしまうことがある。水栓本体内や水道管内の水が凍結すると、膨張による過剰な力が加わることによって破損してしまったり、明朝、氷が溶けるまで吐水が不可能になってしまったりするなどの問題が発生してしまう。
これを防止するために、凍結が予想される時期には水栓本体内や水道管内の水抜きを行う必要がある。寒冷地においては、建物配管に水抜栓が設けられており、この栓を操作することで建物配管に接続された水周り機器から水を抜くことができるように構成されている。しかしながら、水栓装置が止水状態にある場合、外部から空気を取り込むことができず、止水弁よりも上流側の配管の水抜きを十分に行うことができない。これを防止する為に、水抜きを行う際には全ての水栓装置を通水状態に操作するか、別途設けた水抜きコックを操作して、水栓装置の内部を大気開放し、水抜きを行う必要があった。湯水混合水栓装置の場合などは、複数個所の水抜きコックの開操作が必要になるため、水抜き作業のわずらわしさが問題になっている。
【０００３】
上記の問題を解決する為に、水道管に接続される接続部と、吐水、止水を切り換える栓機能部と、接続部と栓機能部の間に設けられた吸気弁と、を有する水栓装置が提案されている（特許文献１）。この発明によれば、水道管の途中に設けた水抜栓を水抜き側に操作することにより、流路に滞留している水が排出される。即ち、自動的に吸気弁から流路内に大気が吸入されることにより、水抜栓の下流側から水道用蛇口の栓機能部の上流側までの流路内に発生した負圧が破壊され、滞留している水が排出される。つまり、配管内の負圧で作動する吸気弁を使用することで、水抜栓の操作を行うだけで水抜きを行うことができ、水抜き操作工程が低減し、水抜き作業が簡素化される。
【先行技術文献】
【特許文献】
【０００４】
【特許文献１】登録実用新案第３０２３９２６号
【発明の概要】
【発明が解決しようとする課題】
【０００５】
しかし、特許文献１に記載されているように吸気弁をそのまま取り付けた場合、接続継手分が製品の前出を長くしたり、製品の意匠性が低下したりする。また、偏芯脚に一体で設計したとしても、専用部品の設計で部品点数の増加などがあり製品コストが大きく上がってしまう。また、寒冷地にしようする為だけに全体を変更する必要がある、などの様々な問題があった。
【０００６】
従って、本発明は、従来の水栓装置から全体の設計を大きく変更することなく、水抜き機能を有する水栓装置を提供することを目的としている。
【課題を解決するための手段】
【０００７】
上述した課題を解決するために、実施形態の一態様に係る吸気弁付き止水栓は、通水路を止水状態又は通水状態に切り替え、外気を前記通水路内に吸入する吸気弁付き止水栓であって、水栓装置の上流側に形成される通水路内に螺合されるねじ部と、一端部が前記ねじ部の一部と一体的に形成されて他端部が長手方向軸線の軸線回りの回転操作可能な操作部となる回転軸部と、この回転軸部から半径方向外側に突出し前記ねじ部及び前記回転軸部の回転に応じて前記通水路の流入口に対して軸方向に相対的に移動して前記流入口を開閉する止水弁体部と、を備えた止水栓部材と、前記止水弁体部に対して移動可能に取り付けられ、前記止水弁体部より上流側の前記通水路内に外気を吸入可能な吸気弁と、を有し、前記吸気弁を外部から強制的に開弁させる、手動開弁手段を有し、前記手動開弁手段は、指で操作可能な押圧部を備え、前記押圧部は、前記吸気弁の先端に設けられ、押圧されると、前記吸気弁を開弁させることを特徴とする。
【０００８】
このように構成された本発明においては、止水栓に吸気弁を設けることにより、従来の水栓装置から全体の設計を大きく変更することなく、水抜き機能を有する水栓装置を構成することができる。また、既に設置されている水栓装置の止水栓と交換することによって、水抜き機能を有する湯水水栓装置を構成することができる。
また、このように構成された本発明によれば、吸気弁を強制的に開弁させる手動開弁手段を有するため、吸気弁が固着するなどして、吸気弁が動作しにくい場合であっても、手動開弁手段を操作することによって、確実に吸気を行い、水抜きすることができる。
【０００９】
また、本発明において好ましくは、前記吸気弁は、前記通水路内の水圧により閉弁側に移動され、前記通水路内が負圧になると開弁側に移動される。
【００１０】
このように構成された本発明によれば、吸気弁は、通水路内の水圧により閉弁側に移動され、通水路内が負圧になると開弁側に移動される、すなわち吸気弁は、水圧に応じて移動するため、吸気弁を開弁するために特別な操作を行う必要がない。よって、特別な水抜きの操作を行う必要がなく、極めて容易に水抜きを行うことができる。
【００１１】
また、本発明において好ましくは、前記吸気弁を開弁側に付勢する吸気ばねを有する。
このように構成された本発明によれば、吸気弁を開弁側に付勢する吸気ばねを有するため、建物配管の水抜き操作が行われて吸気弁にかかる水圧が低下すると、確実に通水路内に外気を吸入することができる。
【００１３】
また、実施形態の一態様に係る水栓装置は、上述した吸気弁付き止水栓を備えることを特徴とする。
このように構成された本発明によれば、従来の水栓装置から全体の設計を大きく変更することなく、水抜き機能を有するようにした水栓装置を提供することができる。
【発明の効果】
【００１４】
本発明の吸気弁付き止水栓によれば、従来の水栓装置から全体の設計を大きく変更することなく、水抜き機能を有することができる。
【図面の簡単な説明】
【００１５】
【図１】本発明の第１実施形態による湯水混合水栓装置全体を示す斜視図である。
【図２】本発明の第１実施形態の湯水混合水栓装置において、水栓本体の背面側に設けられた水供給脚の断面図である。
【図３】図２の水供給脚において、吸気弁が開弁された状態を拡大して示す断面図である。
【図４】本発明の第１実施形態による湯水混合水栓装置の断面図である。
【図５】本発明の第１実施形態による湯水混合水栓装置に内蔵された湯水混合温調装置及び切換バルブの斜視図である。
【図６】本発明の第１実施形態による湯水混合水栓装置に内蔵された湯水混合温調装置及び切換バルブの分解斜視図である。
【図７】本発明の第１実施形態の湯水混合水栓装置において、吐止水切換ハンドルの回動角度を横軸に、切換バルブ及び湯水混合温調装置の通水路面積を縦軸に示したグラフである。
【図８】本発明の第１実施形態による湯水混合水栓装置の水抜き操作を説明するためのブロック図である。
【図９】本発明の第２実施形態による湯水混合水栓装置に備えられている湯供給脚を拡大して示す断面図である。
【図１０】図９の湯供給脚において、手動で開弁された状態を示す断面図である。
【発明を実施するための形態】
【００１６】
次に、添付図面を参照して、本発明の好ましい実施形態を説明する。
図１乃至図８を参照して、本発明の第１実施形態による湯水混合水栓装置を説明する。
図１は、本発明の第１実施形態による湯水混合水栓装置全体を示す斜視図である。
【００１７】
図１に示すように、本発明の第１実施形態による湯水混合水栓装置１は、水栓本体２と、この水栓本体２に給湯器（図示せず）からの湯を供給する湯供給脚４と、水栓本体２に水道水を供給する水供給脚６と、を有する。さらに、湯水混合水栓装置１は、水栓本体２左端部に取り付けられた湯温調節用ダイヤル８と、右端部に取り付けられた吐止水切換ハンドル１０と、を有する。また、湯水混合水栓装置１は、温度調節された湯水を吐出させる第１吐水部であるカラン１２及び第２吐水部であるシャワーヘッド１４を有する。さらに、水栓本体２には、開閉弁である切換バルブ１６が内蔵されている。本実施形態の湯水混合水栓装置１は、湯供給脚４及び水供給脚６から夫々供給された湯及び水を、湯温調節用ダイヤル８によって設定された温度になるように混合し、吐止水切換ハンドル１０を操作して、カラン１２又はシャワーヘッド１４から吐出させるように構成されている。
【００１８】
さらに、湯供給脚４には、湯供給脚４内の流路が負圧になったとき、外気を湯供給脚４内に吸入する吸気弁付きの止水栓１０４が設けられている。同様に、水供給脚６にも、水供給脚６内の流路が負圧になったとき、外気を水供給脚６内に吸入する吸気弁付きの止水栓１０４が設けられている。また、水栓本体２下部には、カラン１２及びシャワーヘッド１４からの吐水が停止されているとき、水栓本体２内の湯水を外部に排水可能な排水部１８が設けられている。
【００１９】
湯供給脚４は、壁面に設けられた給湯管（図示せず）と水栓本体２とを連結し、水栓本体２に湯を供給するように構成されている。
水供給脚６は、壁面に設けられた水道管（図示せず）と水栓本体２とを連結し、水栓本体２に水を供給するように構成されている。
【００２０】
水栓本体２には、湯供給脚４及び水供給脚６を介して導入された湯及び水を、適宜混合して所望の温度に調節する湯水混合温調装置２０（図５）が内蔵されている。また、水栓本体２に取り付けられた吐止水切換ハンドル１０は、これを回転操作することによって、水栓本体２に内蔵された切換バルブ１６を切換え、止水状態、カラン１２からの吐水状態、シャワーヘッド１４からの吐水状態が切換えられるようになっている。吐止水切換ハンドル１０をカラン側に回転させると、湯水混合温調装置２０（図５）によって適温に混合された湯水がカラン１２から吐水され、吐止水切換ハンドル１０をシャワーの側に回転させると、適温に混合された湯水が、シャワーヘッド１４から吐水される。
【００２１】
また、湯温調節用ダイヤル８は、これを廻すことによって水栓本体２に内蔵された湯水混合温調装置２０を操作し、湯水混合温調装置２０によって調節される湯の温度を変化させることができるように構成されている。
【００２２】
次に、図２乃至図６を参照して、本実施形態の湯水混合水栓装置１の内部構成を説明する。
図２は、本実施形態の湯水混合水栓装置に備えられている水供給脚の断面図であり、内蔵されている吸気弁が閉弁された状態を示す。図３は、図２に示した水供給脚において、内蔵されている吸気弁が開弁された状態を示す。なお、本実施形態の湯水混合水栓装置に備えられている湯供給脚は、水供給脚と同一の構成であるため、説明を省略する。
【００２３】
図２に示すように、本実施形態の湯水混合水栓装置１に備えられている湯供給脚４は、供給脚本体１０２と、この供給脚本体１０２に内蔵された止水栓１０４と、を有する。
供給脚本体１０２は、クランク状に湾曲した中空の管状部材である。供給脚本体１０２の下端部には、給水管（図示せず）に接続するための供給管接続部１０２ａが壁面側に突出するように設けられている。供給脚本体１０２の上端部には、水栓本体（図２には図示せず）に接続するための本体接続部１０２ｂが、水栓本体側に突出するように設けられている。さらに、供給管接続部１０２ａの反対側には、止水栓１０４を受け入れるための、供給管接続部１０２ａと連通した弁体受入凹部１０２ｃが設けられている。
【００２４】
止水栓１０４は、給水圧（給湯圧）の調圧機能、止水栓機能及び吸気弁機能が一体的に組み込まれたユニットである。止水栓１０４は、止水栓部材１０６と、この止水栓部材１０６の周囲を取り囲むように配置された調圧弁体１０８と、止水栓部材１０６の内部に配置された吸気弁体１１０と、を有する。さらに、止水栓１０４は、止水栓部材１０６を供給脚本体１０２に固定するための弁体押さえ１１２と、調圧弁体１０８を開弁方向に付勢する調圧弁付勢ばね１１４と、吸気弁体１１０を開弁方向に付勢する吸気弁付勢ばね１１６と、を有する。
【００２５】
止水栓部材１０６は、概ね円柱状の部材であり、弁体受入凹部１０２ｃより上流側の供給管接続部１０２ａの内周に沿って形成された雌ねじ部１０２ｄに螺合される雄ねじ部１０７を備えている。
【００２６】
また、止水栓部材１０６は、前後方向に延びる回転軸部１０９を備え、この回転軸部１０９の後端部は、雄ねじ部１０７の前面の一部から前方へ突出する柱部１０７ａに一体的に形成されている。
【００２７】
一方、回転軸部１０９の前端部は、回転軸部１０９について止水栓１０４の長手方向の中心軸線Ｃの軸線回りに回転操作可能な操作部１０９ｂとなっている。この操作部１０９ｂには、切り欠き１０９ｃが形成され、この切り欠き１０９ｃにマイナスドライバー等の工具（図示せず）を嵌め込んで回すことにより、止水栓部材１０６の雄ねじ部１０７及び回転軸部１０９について中心軸線Ｃの軸線回りの回転操作を行うことができるようになっている。
【００２８】
さらに、止水栓部材１０６は、回転軸部１０９の後端部１０９ａから半径方向外側に突出するように形成された止水弁体部１１１を備え、この止水弁体部１１１は、止水栓部材１０６の操作部１０９ｂによる回転操作が行われると、回転軸部１０９の軸回りの回転に応じて供給管接続部１０２ａに対して軸方向に相対移動することにより、供給脚本体１０２の内部流路を開閉することができるようになっている。
【００２９】
また、止水栓部材１０６の止水弁体部１１１は、前後方向に所定間隔をおいて半径方向外側に突出するように形成された前側支持突起１１１ａ及び後側支持突起１１１ｂと、これらの前側支持突起１１１ａと後側支持突起１１１ｂとの間に取り付けられて保持される円環状のシール部材であるパッキン１１８とを備えている。パッキン１１８は、ゴム材料又は樹脂材料、或いはこれらの複合材料によって形成され、図２に示すように、止水栓部材１０６の止水弁体部１１１の後側支持突起１１１ｂの後端部（回転軸部１０９の後端部１０９ａ）及びパッキン１１８が供給脚本体１０２に形成されたシート面１０２ｅに当接して密着しているときには、シート面１０２ｅが弁座となって供給脚本体１０２の内部流路供給脚本体１０２の内部流路が止水された状態となるようになっている。
【００３０】
一方、図３に示すように、止水栓部材１０６の止水弁体部１１１の後側支持突起１１１ｂ及びパッキン１１８が供給脚本体１０２に形成されたシート面１０２ｅに当接していないときには、供給脚本体１０２の内部流路が通水された状態となるようになっている。
【００３１】
さらに、止水栓部材１０６の中間部には調圧弁付勢ばね１１４を係合させるための前側支持突起１１１ａが設けられている。また、吸気弁体１１０を摺動可能に受け入れるための中心ボア１０９ｄが、止水弁部材１０６の中心軸線上に沿って、止水弁部材１０６の回転軸部１０９を貫通するように形成されている。
【００３２】
調圧弁体１０８は、薄肉の段付き筒状の部材であり、止水弁部材１０６を取り囲むように、止水弁部材１０６に対して摺動可能に配置されている。また、止水弁部材１０６と調圧弁体１０８の間には、調圧弁付勢ばね１１４が配置されている。調圧弁付勢ばね１１４は、止水弁部材１０６を取り囲むように配置されたコイルばねであり、その周囲を取り囲むように調圧弁体１０８が配置されている。
【００３３】
また、調圧弁体１０８は、止水弁部材１０６に取り付けられた環状パッキン１１８を取り囲んで当接するように配置されており、これにより、調圧弁体１０８の内側に湯（水）が流入しないようになっている。さらに、調圧弁付勢ばね１１４は、その一端が止水弁部材１０６の鍔部１１１ａに当接し、他端が調圧弁体１０８の段部に当接するように配置されている。このため、調圧弁体１０８は、調圧弁付勢ばね１１４により、シート面１０２ｅから離れる方向に付勢されている。
【００３４】
弁体押さえ１１２は、環状のキャップ状部材であり、止水弁部材１０６を供給脚本体１０２の弁体受入凹部１０２ｃに固定するように構成されている。弁体押さえ１１２の先端部外周には雄ねじ部１１２ａが形成され、この雄ねじ部１１２ａが供給脚本体１０２に設けられた雌ねじ部に螺合されることにより、弁体押さえ１１２は供給脚本体１０２に固定される。一方、弁体押さえ１１２の中心軸線上には、段付き円形ボア１１２ｂが形成されており、この中に調圧弁体１０８が受け入れられている。調圧弁体１０８は、調圧弁付勢ばね１１４によって、弁体押さえ１１２に向けて付勢されており、この付勢力により、調圧弁体１０８の段部が段付き円形ボア１１２ｂの段部に押しつけられている。
【００３５】
吸気弁体１１０は段付き丸棒状の弁体であり、止水弁部材１０６の中心ボア１０９ｄ内で軸線方向に摺動可能に配置されている。また、吸気弁体１１０の中間部には、傾斜したテーパー部が設けられており、このテーパー部には吸気弁体パッキン１１０ａが取り付けられている。一方、吸気弁体１１０を受け入れている中心ボア１０９ｄにも傾斜した内壁面が形成されており、この傾斜した内壁面に吸気弁体パッキン１１０ａが当接することにより、中心ボア１０９ｄが閉鎖され、閉弁される。
【００３６】
また、中心ボア１０９ｄの内部には吸気弁付勢ばね１１６が配置されており、この吸気弁付勢ばね１１６は吸気弁体１１０の先端部を付勢している。吸気弁付勢ばね１１６は、弱いばねであり、吸気弁体１１０の吸気弁体パッキン１１０ａが、中心ボア１０９ｄの内壁面から離間するように、吸気弁体１１０を付勢している。すなわち、吸気弁体１１０を開弁側に付勢している。吸気弁付勢ばね１１６は弱いばねであるため、供給脚本体１０２の通水路内に通常の給水圧が作用している状態では、吸気弁体１１０に作用する圧力により、吸気弁体パッキン１１０ａは中心ボア１０９ｄの内壁面に当接され、吸気弁体１１０は閉弁されている。
【００３７】
次に、本実施形態の湯水混合水栓装置に備えられている水供給脚６の作用を説明する。なお、上述したように、本実施形態においては湯供給脚（図示せず）も水供給脚６と同一の構成を有し、内部を水が流れる点を除き、水供給脚６と同様に作用する。
まず、吐止水切換ハンドルが操作され、吐水状態とされると、水供給脚６及び湯供給脚（図示せず）内に、湯及び水が夫々流れるようになる。供給管接続部１０２ａから流入した湯は、供給脚本体１０２内を図２に矢印で示す経路に沿って流れ、本体接続部１０２ｂから流出する。水供給脚６、湯供給脚（図示せず）を夫々通過した湯及び水は、湯水混合室２１に流入する。湯及び水が湯水混合室２１に流入した後の湯水混合水栓装置の作用は、後ほど詳細に説明する。
【００３８】
また、供給管接続部１０２ａからの供給圧力が高い場合には、水供給脚６に流入した湯は、調圧弁体１０８の外周面と段付き円形ボア１１２ｂの内壁面の間の隙間から水が侵入し、調圧弁体１０８の段部と段付き円形ボア１１２ｂの段部との間の環状の隙間１２０の圧力が高くなる。環状の隙間１２０の圧力が高くなることにより、調圧弁体１０８は、調圧弁付勢ばね１１４の付勢力に抗して、シート面１０２ｅの方向に移動される（環状の隙間１２０が広がる）。調圧弁体１０８がシート面１０２ｅに向けて移動されると、調圧弁体１０８の先端（シート面１０２ｅの側）とシート面１０２ｅとの間の隙間が狭くなり、この隙間を通る流れの流路抵抗が大きくなる。これにより、供給脚本体１０２から流出する湯の圧力が所定の値に調節される。なお、湯供給脚（図示せず）に備えられた調圧弁も、同様に作用する。
【００３９】
さらに、メンテナンス等の目的で、水栓本体２への湯及び水の供給を停止させる場合には、止水弁部材１０６により、止水を行う。即ち、止水弁部材１０６の切欠１０９ｃにドライバ等を差し込んで回転させることにより、雄ねじ部１０７を雌ねじ部１０２ｄにねじ込み、止水弁部材１０６をシート面１０２ｅに向けて移動させる。環状パッキン１１８がシート面１０２ｅに当接されるまで止水弁部材１０６が移動されると、止水弁が閉弁され、水供給脚６の流路が閉鎖される。なお、湯供給脚（図示せず）に備えられた止水弁も、同様に作用する。
【００４０】
次に、図４を参照して排水部１８の構成を説明する。図４は、湯水混合水栓装置１の断面図である。
図４に示すように、排水部１８は、排水弁本体１８ａと、この排水弁本体１８ａ内に摺動可能に配置された排水弁体１８ｂと、この排水弁体１８ｂを付勢する排水弁体付勢ばね１８ｃと、排水弁体１８ｂが着座する排水弁口形成部材１８ｄと、を有する。また、排水部１８は、カラン１２と並列に、カラン１２に連通するように設けられている。
【００４１】
排水弁本体１８ａは概ね円筒状の部材であり、その先端側には排水弁口形成部材１８ｄが配置されている。
排水弁体１８ｂは、排水弁口形成部材１８ｄの弁口に着座する弁部と、この弁部から背面側に延びる弁軸部と、を有し、弁軸部が排水弁本体１８ａによって軸方向に摺動可能に支持されている。
排水弁体付勢ばね１８ｃは、排水弁体１８ｂの弁軸部の周囲に配置され、排水弁体１８ｂを弱い付勢力で開弁側（図４における上方）に付勢している。
【００４２】
このように構成されることにより、カラン１２からの吐水が行われている状態においては、切換バルブ１６からカラン１２へ至る通水路内の圧力が上昇するため、排水弁体１８ｂは排水弁体付勢ばね１８ｃの付勢力に抗して押し下げられ、排水弁口形成部材１８ｄの弁口が閉弁される。また、カラン１２からの吐水が停止されている状態においては、通水路内の圧力が低下するため、排水弁体付勢ばね１８ｃの付勢力により排水弁口形成部材１８ｄの弁口は開弁され、排水可能な状態となる。
【００４３】
次に、図４乃至図６を参照して、水栓本体内に内蔵された湯水混合温調装置及び切換バルブの構造を説明する。
図５は湯水混合温調装置及び切換バルブの斜視図である。また、図６は湯水混合温調装置及び切換バルブの分解斜視図である。
【００４４】
まず、図４乃至図６を参照して、湯水混合温調装置２０の構成を説明する。
図４に示すように、湯水混合温調装置２０は、第１本体部材２２と、この第１本体部材２２に結合される第２本体部材２４と、この第２本体部材２４内に摺動可能に配置された摺動スリーブ２５と、摺動スリーブ２５を摺動させるカム部材２７と、湯温調節用ダイヤル８に連結される送りねじ２６と、この送りねじ２６に螺合され、送りねじ２６が回転されると第１本体部材２２内で摺動する摺動部材２８と、を有する。また、湯水混合温調装置２０は、第１本体部材２２の内部に移動可能に配置された主弁体３０と、主弁体３０を図４における右方向に付勢する付勢手段であるバイアスばね３２と、バイアスばね３２とは反対方向の図４における左方向に主弁体３０を付勢する感温付勢手段である感温ばね３４と、を有する。本実施形態においては、感温ばね３４として、形状記憶合金製のコイルばねを使用している。
【００４５】
図４及び図６に示すように、第１本体部材２２は、概ね円筒状の形態であり、図４において右側に位置する第２本体部材２４と結合される。また、第１本体部材２２には、湯を流入させるための湯流入口２２ａ及び水を流入させるための水流入口２２ｂが夫々円周方向に設けられている。また、湯流入口２２ａの図４における左側の端面は、主弁体３０と当接する湯側シート部２２ｃとして形成されている。従って、湯側シート部２２ｃは湯流入口２２ａの一部を形成している。
【００４６】
第２本体部材２４は、概ね円筒状の形態であり、その端部が第１本体部材２２の端部に受け入れられることによって、第１本体部材２２と結合されている。これら第１本体部材２２及び第２本体部材２４の内部の空間は、湯流入口２２ａ及び水流入口２２ｂから流入した湯及び水を混合する湯水混合室２１として機能する。
【００４７】
摺動スリーブ２５は、概ね円筒状の形態であり、第２本体部材２４の内部に摺動可能に配置されている。また、摺動スリーブ２５の先端部は、主弁体３０と当接する水側シート部２５ａとして形成されている。このため、摺動スリーブ２５を第２本体部材２４に対して摺動させることにより、湯側シート部２２ｃと水側シート部２５ａの間の距離を変化させることができる。さらに、摺動スリーブ２５の第１本体部材２２とは反対側の端部には、湯水混合室２１内で混合された湯を流出させる吐出口２５ｂが形成されている。なお、供給された水は、主弁体３０の一端部と水側シート部２５ａの間を通って湯水混合室２１内に流入するので、水側シート部２５ａは水流入口の一部を形成している。
【００４８】
カム部材２７は、円環状の部材であり、第２本体部材２４の内部に回転可能に配置されている。また、カム部材２７の図４における右側の端部は、第２本体部材２４の右側の端部から突出される。カム部材２７の、摺動スリーブ２５側の端面には、軸線方向の高さが変化するように構成されたカム２７ａが形成されている。一方、摺動スリーブ２５の、カム部材２７側の端面にもカム部２５ｃが形成されており、このカム部２５ｃがカム２７ａに対して摺動する。この構成により、カム部材２７が回転されると、摺動スリーブ２５が軸線方向に移動される。後述するように、止水状態においては、摺動スリーブ２５は、湯側シート部２２ｃ及び水側シート部２５ａの両方が同時に主弁体３０と当接する位置に摺動され、湯流入口２２ａ及び水流入口２２ｂが閉鎖される。一方、吐水状態においては、湯側シート部２２ｃと水側シート部２５ａの間の距離が止水状態よりも長くなるように、摺動スリーブ２５が摺動される。
【００４９】
このように、本実施形態の湯水混合水栓装置１においては、摺動スリーブ２５の摺動によって吐水、止水が切り換えられ、切換バルブ１６によってカラン１２からの吐水とシャワーヘッド１４からの吐水が切り換えられる。従って、切換バルブ１６及び摺動スリーブ２５は、吐止水切換機構として機能する。また、摺動スリーブ２５及びこれに対して摺動するカム部材２７の作用によって、湯流入口２２ａ及び水流入口２２ｂが閉鎖されるので、摺動スリーブ２５及びカム部材２７は入口バルブ駆動機構として機能する。
【００５０】
送りねじ２６は、第１本体部材２２の内部に回転可能に配置されている。送りねじ２６の一方の端部には、湯温調節用ダイヤル８が取り付けられるスプライン部２６ａが形成され、他方の端部には、摺動部材２８と螺合される送り雄ねじ部２６ｂが形成されている。
【００５１】
摺動部材２８は、概ね円筒形の形態であり、第１本体部材２２の内部に摺動可能に配置されている。また、摺動部材２８の外側には、軸線方向の溝２８ａ（図６）が形成されており、この溝２８ａが、第１本体部材２２の内部に形成された軸線方向に延びる突起（図示せず）を受け入れることによって、摺動部材２８の第１本体部材２２に対する回転が拘束されている。さらに、摺動部材２８の内側には、送りねじ２６の送り雄ねじ部２６ｂと螺合される送り雌ねじ部２８ｂが形成されている。これにより、送りねじ２６を回転させると、摺動部材２８は第１本体部材２２の軸線方向に摺動される。
【００５２】
主弁体３０は、図６に示すように、概ね円筒状の弁体である。円筒状の主弁体３０の両端には、湯側シート部２２ｃ、水側シート部２５ａと夫々当接するように、パッキンが一体成形されている。
【００５３】
また、図４に示すように、Ｏリング４２が、主弁体３０の外周に配置されている。このＯリング４２は、主弁体３０の外周面と第１本体部材２２の内壁面との間に位置し、湯水混合室２１内に流入した湯及び水が主弁体３０の外側で混合されるのを防止している。
【００５４】
また、Ｏリング４２の水側（図４における右側）には、脚付スペーサーリング４６が配置されている。図６に示すように、脚付スペーサーリング４６は、軸線方向に延びる６本の脚部４６ａを備えたリングである。脚付スペーサーリング４６により、Ｏリング４２の位置は、脚付スペーサーリング４６と、第１本体部材２２の内壁に形成された段部によって規制され、第１本体部材２２内の所定の位置に位置決めされる。
【００５５】
さらに、図４及び図５に示すように、主弁体３０の左側には、脚付環状部材３８と、整流部材３９と、バイアスばね３２と、ばね押え金具３６と、Ｕ字金具４４が配置されている。脚付環状部材３８は、その脚部が主弁体３０に当接するように配置されている。整流部材３９は一端が細く閉鎖された円筒状の部材であり、脚付環状部材３８の環状部の中に受け入れられるように配置される。ばね押え金具３６は、中央部が隆起したドーナツ板状の金具であり、Ｕ字金具４４によって整流部材３９と連結されている。バイアスばね３２は、脚付環状部材３８の環状部とばね押え金具３６の間に挟まれ、予め圧縮された状態で第１本体部材２２の内部に配置される。この構成により、バイアスばね３２は、摺動部材２８がばね押え金具３６に当接すると、主弁体３０を、図４における右方向に付勢する。
【００５６】
また、図４に示すように、主弁体３０の右側には、混合羽根部材４０と、感温ばね３４が配置されている。混合羽根部材４０は、概ね円板状の部材であり、摺動スリーブ２５の内部で摺動可能に配置されている。また、混合羽根部材４０の図４における左側の端部は主弁体３０に当接するように配置され、この端部には、湯水混合室２１に流入した湯及び水を混合させ、温度を均一にするための放射状の羽根４０ａ（図６）が設けられている。
感温ばね３４の図４における左側の端部は、混合羽根部材４０に当接し、右側の端部は摺動スリーブ２５の内壁面の端部に当接するように配置されている。この構成により、感温ばね３４は、混合羽根部材４０を介して、主弁体３０を図４における左方向に付勢する。
【００５７】
一方、第１本体部材２２の外側には、湯流入口２２ａ及び水流入口２２ｂを覆うように、円筒状のフィルター５２、５４が夫々配置されており、湯又は水に混入したゴミ等が、湯水混合温調装置２０内に流入するのを防止している。
【００５８】
次に、図４乃至図６を参照して、切換バルブ１６の構成を説明する。
切換バルブ１６は、切換バルブ本体６０と、この内側に配置されたパッキン押さえ部材６２と、パッキン押さえ部材６２の内部に回転可能に配置された回転シリンダ６４と、回転シリンダ６４を回転させるための切換軸部材６６と、を有する。
【００５９】
切換バルブ本体６０は概ね円筒状の部材であり、その側面には、湯水混合室２１内で混合された湯水をカラン１２側へ流出させる第１弁口であるカラン流出口６０ａと、シャワーヘッド側へ流出させる第２弁口であるシャワー流出口６０ｂが設けられている。図６に示すように、カラン流出口６０ａ及びシャワー流出口６０ｂは、切換バルブ本体６０の軸線方向にずれた位置に形成されると共に、円周方向には中心角約９０゜ずれた位置に形成されている。
【００６０】
パッキン押さえ部材６２は、肉薄の円筒状の部材であり、カラン流出口６０ａ及びシャワー流出口６０ｂに夫々整合する位置に開口部が設けられている。これらの開口部にはパッキン６２ａ、６２ｂが夫々嵌め込まれている。これにより、パッキン６２ａ、６２ｂは、カラン流出口６０ａ及びシャワー流出口６０ｂの周囲を夫々取り囲むように保持されている。
【００６１】
回転シリンダ６４は円筒状の部材であり、パッキン押さえ部材６２の内側に回転可能に嵌め込まれている。回転シリンダ６４の湯水混合温調装置２０側（図４における左側）の端部には、切欠６４ｃが設けられている。この切欠６４ｃは、第２本体部材２４の端部から突出しているカム部材２７に設けられた突起２７ｂ（図６）を受け入れるように形成されている。この構成により、カム部材２７と回転シリンダ６４が係合され、回転シリンダ６４の回転と共にカム部材２７が回転される。
【００６２】
また、回転シリンダ６４の側面には、２組の流出開口６４ａ、６４ｂ（図６には６４ｂのみ図示）が、回転シリンダ６４の軸線方向にずれた位置に形成されている。さらに、各流出開口６４ａ、６４ｂは、円周方向にも所定角度ずれた位置に形成されている。パッキン押さえ部材６２の内側で回転されることにより、回転シリンダ６４は、カラン流出口６０ａと流出開口６４ａのみが連通する位置、シャワー流出口６０ｂと流出開口６４ｂのみが連通する位置、及びカラン流出口６０ａ及びシャワー流出口６０ｂが夫々流出開口６４ａ、６４ｂと連通する位置をとることができる。なお、本実施形態の切換バルブ１６においては、カラン流出口６０ａ及びシャワー流出口６０ｂの両方が、流出開口６４ａ、６４ｂと連通しない状態となることはない。即ち、本実施形態の切換バルブ１６においては、カラン流出口６０ａ及びシャワー流出口６０ｂの少なくとも一方が、常に流出開口６４ａ、６４ｂと連通した状態となっている。
【００６３】
切換軸部材６６は、細長い軸部材であり、一端が回転シリンダ６４の端部に取り付けられ、他端が吐止水切換ハンドル１０（図４）に取り付けられている。これにより、吐止水切換ハンドル１０が回動されると、切換軸部材６６、回転シリンダ６４、及びカム部材２７が共に回動される。
【００６４】
次に、図４を参照して、本発明の第１実施形態による湯水混合水栓装置１における湯水混合温調装置２０の作用を説明する。
まず、湯水混合水栓装置１の使用者は、湯温調節用ダイヤル８を所望の温度に設定する。ここで、湯温調節用ダイヤル８を最低温度に設定した場合には、摺動部材２８は図４における左端に位置される。この状態では、図４に示すように、摺動部材２８がばね押え金具３６から離間するのでバイアスばね３２による付勢力は作用せず、主弁体３０の図４における左側の端部は、感温ばね３４の付勢力により湯側シート部２２ｃに当接される。即ち、湯水混合室２１内には、水のみが流入できる状態となる。
【００６５】
次に、使用者が設定温度を上昇させるために、湯温調節用ダイヤル８を操作して送りねじ２６を回転させると、摺動部材２８は図４における右方向に移動され、摺動部材２８はばね押え金具３６と当接する。これにより、バイアスばね３２による付勢力も主弁体３０に作用するようになり、主弁体３０は、バイアスばね３２の付勢力と感温ばね３４の付勢力が釣り合う位置に移動される。
【００６６】
主弁体３０が移動されることにより、湯供給脚４から導入された湯は、フィルター５２を介して湯導入口２２ａに流入し、水供給脚６から導入された水は、フィルター５４を介して水導入口２２ｂに流入する。湯導入口２２ａから流入した湯は主弁体３０と湯側シート部２２ｃの間を通って湯水混合室２１内部に流入し、水導入口２２ｂから流入した水は主弁体３０と水側シート部２５ａの間を通って湯水混合室２１内部に流入する。
【００６７】
湯水混合室２１に流入した湯は、主弁体３０の内側を通って、図４における右方向に流れる。また、湯水混合室２１に流入した水は、主弁体３０の中を流れる湯と混合され、主に感温ばね３４の内部を通って吐出口２５ｂから流出する。この際、混合羽根部材４０の羽根４０ａにより、湯と水の混合が促進され、ほぼ均一な温度に混合されて感温ばね３４の内部を流れる。吐出口２５ｂから流出した湯は、切替バルブ１６を通って、カラン１２又はシャワーヘッド１４から吐出される。
【００６８】
感温ばね３４の内部を流れる湯の温度が設定温度よりも高い場合には、感温ばね３４は伸びるように作用するので、感温ばね３４による付勢力が増大する。これにより、感温ばね３４による付勢力とバイアスばね３２による付勢力が釣り合う位置が図４における左側に移動し、主弁体３０は左方向に移動される。その結果、主弁体３０の左端部と湯側シート部２２ｃの間の距離は短くなり、主弁体３０の右端部と水側シート部２４ｂの間の距離は長くなるので、湯水混合室２１に流入する水の割合が増大し、吐出される湯の温度が低下する。逆に、感温ばね３４の内部を流れる湯の温度が設定温度よりも低い場合には、感温ばね３４による付勢力は減少し、主弁体３０は図４における右方向に移動されて、吐出される湯の温度が上昇する。これらの作用により、カラン１２又はシャワーヘッド１４から吐出される湯の温度が、設定温度に調節される。
【００６９】
次に、図７を参照して、切換バルブ１６の作用を説明する。
図７は、吐止水切換ハンドルの回動角度を横軸に、切換バルブ及び湯水混合温調装置の通水路面積（弁開度）を縦軸に示したグラフである。なお、図７において、切換バルブ１６の通水路面積は破線及び一点鎖線で示され、切換バルブ１６の通水路面積は、カラン流出口６０ａの通水路面積（一点鎖線）及びシャワー流出口６０ｂの通水路面積（破線）からなる。また、図７において、湯水混合温調装置２０の通水路面積は実線で示され、湯水混合温調装置２０の通水路面積とは、湯流入口２２ａと水流入口２２ｂの通水路面積の合計を意味している。ここで、湯側シート部２２ｃから水側シート部２５ａ（図４）までの距離が、主弁体３０（図４）の軸線方向長さと等しい場合には、湯流入口２２ａ及び水流入口２２ｂは閉鎖され、湯水混合温調装置２０の通水路面積はゼロとなる。摺動スリーブ２５が図４における右側に移動され、湯側シート部２２ｃから水側シート部２５ａまでの距離が主弁体３０の軸線方向長さよりも長くなるほど、湯水混合温調装置２０の通水路面積は増大する。
【００７０】
図７に示すように、吐止水切換ハンドル１０の角度が０゜（中央位置）にある状態においては、摺動スリーブ２５のカム部２５ｃとカム部材２７のカム２７ａ（図６）の凸部同士が当接し、摺動スリーブ２５は図４における最も左側へ移動されている。この状態では、主弁体３０の両端が、湯側シート部２２ｃ及び水側シート部２５ａと夫々当接しているため、湯流入口２２ａ及び水流入口２２ｂは閉鎖された状態となる。この角度０゜の状態を中心として、吐止水切換ハンドル１０の回転角度約±５゜の範囲に亘って、摺動スリーブ２５はほぼ同一の位置に維持され、主弁体３０と湯側シート部２２ｃ及び水側シート部２５ａは当接された状態に維持される。なお、この角度範囲における摺動スリーブ２５の僅かな移動は、主弁体３０の両端部に形成されたパッキンの弾性変形により吸収され、主弁体３０と湯側シート部２２ｃ及び水側シート部２５ａは当接された状態に維持される。
これにより、湯流入口２２ａ及び水流入口２２ｂは閉鎖された状態に維持される。
【００７１】
一方、図７に示すように、切換バルブ１６におけるカラン流出口６０ａ及びシャワー流出口６０ｂは、吐止水切換ハンドル１０の回転角度０゜を中心とする角度約±５゜の範囲に亘って、両方とも開いた状態に維持される。しかしながら、上述したように、この角度範囲においては、湯流入口２２ａ及び水流入口２２ｂが閉鎖された状態にあるため、カラン１２、シャワーヘッド１４からの吐水は行われず、止水状態となる。
【００７２】
さらに、吐止水切換ハンドル１０を約＋５゜以上シャワー側へ回動させると、カラン流出口６０ａが回転シリンダ６４により閉鎖される（図７の一点鎖線）一方、シャワー流出口６０ｂの通水路面積は増大する（図７の破線）。この吐止水切換ハンドル１０の回動に連動して、湯水混合温調装置２０のカム部材２７が回動される。これにより、カム２７ａの凸部が、摺動スリーブ２５のカム部２５ｃの凹部付近と当接するようになり（図６）、摺動スリーブ２５は、図４における右方向に移動される。摺動スリーブ２５が移動されることにより、湯水混合温調装置２０の通水路面積が確保される。これにより、湯流入口２２ａ及び水流入口２２ｂから流入した湯及び水が湯水混合室２１内で混合されて、切換バルブ１６に流入し、シャワー流出口６０ｂを通ってシャワーヘッド１４から吐出される。
【００７３】
また、吐止水切換ハンドル１０を約−５゜以上カラン側へ回動させると、シャワー流出口６０ｂが回転シリンダ６４により閉鎖される（図７の破線）一方、カラン流出口６０ａの通水路面積は増大する（図７の一点鎖線）。この吐止水切換ハンドル１０の回動に連動して、カム２７ａの凸部が、摺動スリーブ２５のカム部２５ｃの凹部付近と当接するようになり、摺動スリーブ２５は、図４における右方向に移動される。これにより、湯水混合室２１内で混合された湯及び水が、切換バルブ１６に流入し、カラン流出口６０ａを通ってカラン１２から吐出される。
【００７４】
次いで、吐止水切換ハンドル１０が中央位置付近（回転角度約±５゜の範囲）に戻されると、湯流入口２２ａ及び水流入口２２ｂが閉鎖されて止水状態となる一方、カラン流出口６０ａ及びシャワー流出口６０ｂは開いた状態になる。この状態においては、シャワーヘッド１４の散水孔、及びカラン１２の吐水口は、切換バルブ１６（及びこれに連通した湯水混合室２１）を介して連通した状態となる。さらに、図４に示すように、カラン１２と排水部１８は常に連通された状態にあるため、排水部１８も、シャワーヘッド１４の散水孔、及び湯水混合室２１と連通した状態となる。また、止水状態においては、切換バルブ１６から排水部１８に至る通水路内の圧力が低下しているため、排水部１８の排水弁体１８ｂは開弁位置に移動されている。
【００７５】
このような止水状態において、湯水混合室２１内に残留していた湯水は、カラン流出口６０ａを介して、カラン１２及び／又は排水部１８から排出される。これと同時に、湯水混合室２１内には、シャワーヘッド１４の散水孔、シャワー流出口６０ｂを介して外気が吸入される。
【００７６】
次に、図８を参照して、本発明の第１実施形態による湯水混合水栓装置における水抜き操作を説明する。
図８は、本実施形態による湯水混合水栓装置１の水抜き操作を説明するためのブロック図である。
まず、水抜きをする際には、湯水混合水栓装置１を止水状態とし、湯供給脚４、水供給脚６の上流側に夫々設けられた水抜栓（図示せず）を水抜き側に操作する。これにより、湯流入口２２ａ及び水流入口２２ｂよりも上流側の配管内が負圧になる。上流側の配管内が負圧になると、吸気弁体１１０に作用していた圧力が低下して、吸気弁付勢ばね１１６の付勢力により、吸気弁体１１０は図２（ａ）に示す状態から、図３に示す状態に移動される。これにより、吸気弁体パッキン１１０ａが中心ボア１０９ｄの内壁面から離間して吸気弁が開弁される。また、湯供給脚（図示せず）に設けられている吸気弁も、同様に開弁される。吸気弁が開弁されることにより、図３に矢印で示す経路を通って、外気が配管内に流入し、湯流入口２２ａ及び水流入口２２ｂよりも上流側に滞留している湯及び水が排出される。従って、本実施形態の湯水混合水栓装置によれば、単に水抜栓（図示せず）を水抜き側に操作するだけで全ての水抜き操作が完了する。
【００７７】
本実施形態の第１実施形態の吸気弁付き止水栓１０４によれば、止水栓１０４に吸気弁体１１０を設けることにより、吸気弁体１１０を湯供給脚、水供給脚にコンパクトに設けることができる。また、本実施形態によれば、止水栓１０４に吸気弁体１１０を設けることにより、水抜き機能がない湯水混合水栓装置と同一の概観を保持したまま、水抜き機能を有する湯水混合水栓装置を構成することができる。すなわち、従来の水栓装置から全体の設計を大きく変更することなく、水抜き機能を有する水栓装置を構成することができる。また、本実施形態によれば、吸気弁体１１０が、止水栓１０４及び調圧弁１０８と一体化されているので、汎用の湯供給脚（水供給脚）の止水栓を、吸気弁を含めてユニット化された止水栓に交換するだけで、水抜き機能を有する湯水混合水栓装置を構成することができる。
【００７８】
また、本発明の吸気弁付き止水栓１０４によれば、吸気弁体１１０は、通水路内の水圧により閉弁側に移動され、通水路内が負圧になると開弁側に移動される。そのため、止水状態において、湯水混合水栓装置１の水抜きをする際には、単に、湯流入口２２ａ及び水流入口２２ｂの上流側の流路に設けられた水抜栓（図示せず）を水抜き側に操作するだけで、吸気弁体１１０から流路に外気が導入され、湯流入口２２ａ及び水流入口２２ｂの上流側の水抜きが完了する。一方、各流入口の下流側については、止水状態において、湯流入口２２ａ及び水流入口２２ｂが閉鎖されていると共に、湯水混合室２１と排水部１８及び吐水部であるカラン１２及びシャワーヘッド１４が連通されているので、湯水混合室２１内に残留した湯水は、排水部１８又はカラン１２から排出されている。この結果、湯水混合水栓装置１に対しては、特別な水抜きの操作を行う必要がなく、極めて容易に水抜きを行うことができる。
【００７９】
また、本発明の吸気弁付き止水栓１０４によれば、吸気弁体１１０を開弁側に付勢する吸気ばね１１６を有するため、建物配管の水抜き操作が行われて吸気弁体１１０にかかる水圧が低下すると、確実に通水路内に外気を吸入することができる。
【００８０】
また、本発明の吸気弁付き止水栓１０４によれば、吸気弁体１１０を強制的に開弁させる手動開弁手段を有するため、吸気弁が固着するなどして、吸気弁が動作しにくい場合であっても、手動開弁手段を操作することによって、確実に吸気を行い、水抜きすることができる。
【００８１】
また、本発明の湯水混合水栓装置１によれば、吸気弁付き止水栓１０４を備えることで、従来の湯水混合水栓装置から全体の設計を大きく変更することなく、水抜き機能を有するようにした湯水混合水栓装置を提供することができる。
【００８２】
また、本実施形態の湯水混合水栓装置１においては、吐止水切換機構の一部として、湯水混合室２１の下流側に設けられた切換バルブ１６を備え、この切換バルブ１６は、湯水混合室２１とカラン１２を連通させるカラン流出口６０ａ及び湯水混合室２１とシャワーヘッド１４を連通させるシャワー流出口６０ｂを備え、カラン１２からの吐水時においてはカラン流出口６０ａのみが開弁され、シャワーヘッド１４からの吐水時においてはシャワー流出口６０ｂのみが開弁され、止水状態に切り換えられたときは、カラン流出口６０ａ及びシャワー流出口６０ｂの両方が開弁される。このため、簡単な構成で、止水状態において湯水混合室と第１吐水部であるカラン１２及び第２吐水部であるシャワーヘッド１４を連通させることができる。
【００８３】
さらに、本実施形態の湯水混合水栓装置１においては、吐止水切換機構の一部として、入口バルブ駆動機構であるカム部材２７及び摺動スリーブ２５を備えている。このカム部材２７は、切換バルブ１６と連動して、切換バルブ１６が止水状態に切り換えられたとき摺動スリーブ２５を摺動させて、湯流入口２２ａ及び水流入口２２ｂを閉鎖させる。このため、切換バルブ１６に対する単一の操作で、湯流入口２２ａ及び水流入口２２ｂの閉鎖と、カラン１２又はシャワーヘッド１４からの吐水の切り換えとを同時に行うことができる。
【００８４】
また、本実施形態の湯水混合水栓装置１においては、湯水混合室２１は、湯流入口２２ａの一部を形成する湯側シート部２２ｃ、及び水流入口２２ｂの一部を形成する水側シート部２５ａを備えている。また、主弁体３０は、湯側シート部２２ｃに当接する位置と水側シート部２５ａに当接する位置の間で摺動されることにより、湯流入口２２ａ及び水流入口２２ｂから湯水混合室２１内へ夫々流入する湯及び水の量を調節するように構成されている。吐止水切換機構の一部であるカム部材２７及び摺動スリーブ２５は、止水状態に切り換えられたとき、水側シート部２５ａを摺動させることにより、主弁体３０を湯側シート部２２ｃ及び水側シート部２５ａの両方に同時に当接させて湯流入口２２ａ及び水流入口２２ｂを閉鎖させる。このため、湯流入口２２ａ及び水流入口２２ｂを閉鎖させるための特別な弁体を設けることなく、各流入口を閉鎖させることができる。
【００８５】
次に、本発明の第２実施形態について、図９〜図１０を用いて説明する。なお、第１実施形態と同一の部材については、同一の符号を付して説明を省略する。
図９に示すのは本実施形態における湯供給脚４を拡大して示す断面図である。本実施形態においては、吸気弁体１１０の先端部分に、指で操作可能な押圧部１２２を備えてなる。この押圧部１２２は、吸気弁体１１０が止水位置にある状態で、止水栓端面１１２ｃよりも、距離Ａだけ突出するように設けられている。
【００８６】
図１０は押圧部１２２を指などで外部から押圧した状態を示す断面図である。押圧部１２２が押圧されることによって、吸気弁体１１０も図面下方側へ移動する。これにより、吸気弁体パッキン１１０ａが中心ボア１０９ｄの内壁面から離間して吸気弁が開弁された状態となる。これにより、負圧が発生した場合と同様に、吸気弁が開弁されることにより、図１０に矢印で示す経路を通って、外気が配管内に流入し、湯流入口２２ａよりも上流側に滞留している湯が排出される。水供給脚６に設けた場合も同様である。
このように構成することによって、吸気弁体１１０が固着するなどして、吸気弁体１１０が動作しにくい場合であっても、押圧部１２２を操作することによって、確実に吸気を行い、水抜きすることが可能となる。
【００８７】
以上、本発明の好ましい実施形態を説明したが、上述した実施形態に種々の変更を加えることができる。特に、上述した実施形態においては、第１吐水部としてカラン１２を備え、第２吐水部としてシャワーヘッド１４を備え、さらに排水部１８を備えていたが、変形例として、排水部１８を省略することができる。この場合には、湯水混合水栓装置１が止水状態にされたとき、湯水混合室２１内の湯水は一方の吐水部から排出されると共に、他方の吐水部から外気が吸入されて、湯水混合室２１内が水抜きされる。このように構成された本変形例によれば、カラン及びシャワーヘッドを備えた、最も一般的な構成の湯水混合水栓装置に大幅な変更を加えることなく本発明を適用することができる。
【００８８】
なお、上述した実施形態においては何れも、止水栓には調圧弁が備えられていたが、調圧弁を備えずに構成することもできる。また、上述した実施形態においては、吸気弁体１１０は吸気弁付勢ばね１１６により開弁側に付勢されていたが、吸気弁付勢ばねは、吸気弁体を閉弁側に付勢するように設けることもできる。この場合には、配管内に発生した負圧により、吸気弁体が開弁側に移動され、外気が配管内に導入される。或いは、吸気弁体を付勢する部材を省略することもできる。この場合には、配管内に作用する給水圧力により吸気弁体は閉弁側に移動され、配管内が負圧になると、吸気弁体は開弁側に移動される。
【００８９】
また、上述した実施形態においては、第１吐水部としてカラン１２を備え、第２吐水部としてシャワーヘッド１４を備え、さらに排水部１８を備えていたが、変形例として、第１吐水部又は第２吐水部の何れか一方を省略することができる。この場合には、湯水混合水栓装置１が止水状態にされたとき、湯水混合室２１内の湯水は排水部１８から排出されると共に、単一の吐水部から外気が吸入されて、湯水混合室２１内が水抜きされる。また、このように構成された本変形例によれば、湯水混合室２１内の残水が排水部１８から排出されるので、排水部１８を使用者の目につきにくい位置に設けることにより、湯水混合水栓装置１の品位を損なうことなく水抜きをすることができる。
【００９０】
また、上述した実施形態においては何れも、湯水混合水栓装置に止水栓１０４が備えられていたが、いわゆる単水栓装置や、シングルレバー水栓に止水栓１０４を備える構成とすることもできる。
【符号の説明】
【００９１】
１        本発明の第１実施形態による湯水混合水栓装置
２        水栓本体
４        湯供給脚
６        水供給脚
８        湯温調節用ダイヤル
１０      吐止水切換ハンドル
１２      カラン（第１吐水部）
１４      シャワーヘッド（第２吐水部）
１６      切換バルブ
１８      排水部
１８ａ    排水弁本体
１８ｂ    排水弁体
１８ｃ    排水弁体付勢ばね
１８ｄ    排水弁口形成部材
２０      湯水混合温調装置
２１      湯水混合室
２２      第１本体部材
２２ａ    湯流入口
２２ｂ    水流入口
２２ｃ    湯側シート部
２４      第２本体部材
２５      摺動スリーブ
２５ａ    水側シート部
２５ｂ    吐出口
２５ｃ    カム部
２６      送りねじ
２６ａ    スプライン部
２６ｂ    雄ねじ部
２７      カム部材
２７ａ    カム
２７ｂ    突起
２８      摺動部材
２８ａ    溝
２８ｂ    送り雌ねじ部
３０      主弁体
３２      バイアスばね（付勢手段）
３４      感温ばね（感温付勢手段）
３６      ばね押え金具
３８      脚付環状部材
３９      整流部材
４０      混合羽根部材
４０ａ    羽根
４２      Ｏリング（弾性シール部材）
４４      Ｕ字金具
４６      脚付スペーサーリング
５２      フィルター
５４      フィルター
６０      切換バルブ本体
６０ａ    カラン流出口（第１弁口）
６０ｂ    シャワー流出口（第２弁口）
６２      パッキン押さえ部材
６２ａ、６２ｂ  パッキン
６４      回転シリンダ
６４ａ、６４ｂ  流出開口
６４ｃ    切欠
６６      切換軸部材
１０２    供給脚本体
１０２ａ  供給管接続部
１０２ｂ  本体接続部
１０２ｃ  弁体受入凹部
１０２ｄ  雌ねじ部
１０２ｅ  シート面
１０４    止水栓（吸気弁付き止水栓）
１０６    止水弁部材
１０７  雄ねじ部
１０７ａ  柱部
１０９    回転軸部
１０９ａ  後端部
１０９ｂ  操作部
１０９ｃ  切欠
１０９ｄ  中心ボア
１０８    調圧弁体
１１０    吸気弁体
１１０ａ  吸気弁体パッキン
１１１  止水弁体部
１１１ａ  前側支持突起
１１１ｂ  後側支持突起
１１２    弁体押さえ
１１２ａ  雄ねじ部
１１２ｂ  段付き円形ボア
１１２ｃ  止水栓端面
１１４    調圧弁付勢ばね
１１６    吸気弁付勢ばね
１１８    環状パッキン
１２０    環状の隙間
１２２    押圧部
【図１】
0006550702.tif 000002
【図２】
0006550702.tif 000003
【図３】
0006550702.tif 000004
【図４】
0006550702.tif 000005
【図５】
0006550702.tif 000006
【図６】
0006550702.tif 000007
【図７】
0006550702.tif 000008
【図８】
0006550702.tif 000009
【図９】
0006550702.tif 000010
【図１０】
0006550702.tif 000011